(57)【特許請求の範囲】
【請求項１】
複数の無線制御装置を含む移動通信システムにおいて、各無線制御装置が管理するエリア内の移動局装置に所定のスクランブリングコード群中の一コードを上りスクランブリングコードとして割り当てる方法であって、
前記無線制御装置の一は、前記所定のスクランブリングコード群に含まれる第一の部分コード群中から一コードを上りスクランブリングコードとして割り当て、
前記一無線制御装置が管理するエリアに隣接するエリアを管轄する無線制御装置の少なくとも一つは、前記所定のスクランブリングコード群中に含まれ且つ前記第一の部分コード群と同一でない第二のコード群中から一コードを上りスクランブリングコードとして割り当てることを特徴とする上りスクランブリングコード割当方法。
【請求項２】
複数の無線制御装置を含み、各無線制御装置が管理するエリア内の移動局装置に所定のスクランブリングコード群中の一コードを上りスクランブリングコードとして割り当てる移動通信システムであって、
前記無線制御装置の一は、前記所定のスクランブリングコード群に含まれる第一の部分コード群中から一コードを上りスクランブリングコードとして割り当て、
前記一無線制御装置が管理するエリアに隣接するエリアを管轄する無線制御装置の少なくとも一つは、前記所定のスクランブリングコード群中に含まれ且つ前記第一の部分コード群と同一でない第二のコード群中から一コードを上りスクランブリングコードとして割り当てることを特徴とする移動通信システム。
【発明の詳細な説明】
【０００１】
【発明の属する技術分野】
本発明は、主にＣＤＭＡ方式が採用された移動通信システムに関し、特に、隣接する２つのセルにおいて用いられる上りスクランブリングコード群を異なるコード群とする上りスクランブリングコード割当方法及びそのような割り当てを行う移動通信システムに関する。
【０００２】
【従来の技術】
まず、ＣＤＭＡ（Ｃｏｄｅ  Ｄｉｖｉｓｉｏｎ  Ｍｕｌｔｉｐｌｅ  Ａｃｃｅｓｓ）方式が採用された移動通信システム全体の構成について図３を用いて説明する。図３は、ＣＤＭＡ方式が採用された移動通信システムの典型的な構成を概略的に示す模式図である。
【０００３】
他網との接続を為す交換機（ＣＮ）３０１は、複数の無線制御装置（Ｒａｄｉｏ  Ｎｅｔｗｏｒｋ  Ｃｏｎｔｒｏｌｌｅｒ；ＲＮＣ）３０２と接続され、各無線制御装置１０２は、それぞれ複数の基地局装置（Ｂａｓｅ  Ｓｔａｔｉｏｎ；ＢＴＳ）１０３を制御し、各基地局装置３０３は、複数のセル（ｃｅｌｌ）若しくはクラスタ（ｃｌｕｓｔｅｒ）を管轄する。
【０００４】
次いで、従来のＣＤＭＡ方式が採用された移動通信システムにおける上りスクランブリングコードの割り当て方法について、特にＷ−ＣＤＭＡ方式を例に挙げて説明する。
【０００５】
Ｗ−ＣＤＭＡ（Ｗｉｄｅｂａｎｄ−ＣＤＭＡ）方式においては、セル間非同期システムを実現するために２階層の拡散符号割当を用いている。この２階層の拡散符号は、スクランブリングコード（Ｓｃｒａｍｂｌｉｎｇ  ｃｏｄｅ）、及びチャネライゼーションコード（Ｃｈａｎｎｅｌｉｚａｔｉｏｎ  ｃｏｄｅ）と呼ばれ、チャネライゼーションコードはシンボル周期と同一長の周期を有し、スクランブリングコードはシンボル周期よりも長いフレーム周期（１０ｍｓｅｃ）と同一長の周期を有する。
【０００６】
基地局から各移動局への下り回線（Ｄｏｗｎ  Ｌｉｎｋ；ＤＬ）におけるスクランブリングコードは、セル毎に固有であり、他セルからの信号を雑音化する。他方、各移動局から基地局への上り回線（Ｕｐｐｅｒ  Ｌｉｎｋ；ＵＬ）におけるスクランブリングコードは、ユーザー（移動局）毎に固有であり、一旦割り当てられるとハンドオーバーにより他セルへ移動しても原則として移動局解放まで変更されない。
【０００７】
上りスクランブリングコードは、無線制御装置によって管理され、移動局が通信中に個別チャネルに遷移する際に、物理チャネル情報として割り当てられる。
【０００８】
スクランブリングコードは、無線制御装置によって生成され、管轄下の移動局に割り当てられる。スクランブリングコードの数は規格（Ｗ−ＣＤＭＡ方式）で２２４個と決められているため、無線制御装置は、通常、２２４個のスクランブリングコードを発生させる機能を有し、割当時には未使用のスクランブリングコードのうちから一つをランダムに発生させ、割り当てる。
【０００９】
又、上記スクランブリングコードの数は移動局を識別するのに必要な数よりも小さいため、同一のコードを繰り返し使う必要がある。しかしながら、同一の上りスクランブリングコードを有する移動局が同一セル内に位置すると、上り無線区間において両者の上り無線信号が干渉し、円滑な通信を妨げる。したがって、無線制御装置は、同一セル内の移動局には同一のスクランブリングコードを割り当てないように割当時に制御する必要がある。
【００１０】
又、ある移動局が他の無線制御装置が管轄するエリアから移動してきたことによって、同一セル内に同一のスクランブリングコードを有する移動局が複数存在する状態となると、無線制御装置内において上記競合状態を回避するための処理が実行される。
【００１１】
【発明が解決しようとする課題】
しかしながら上記従来の移動通信システムにおいては、各無線制御装置がスクランブリングコードを割り当てる際にコードを抽出する母集団は同一であった。即ち、いずれの無線制御装置も使用可能な２２４個のスクランブリングコードの中からコードを選択していた。
【００１２】
したがって、隣接する無線制御装置の管轄するエリア間で移動局の移動があった場合にスクランブリングコードが競合する可能性が生じ、競合回避手段によって制御負荷が増える可能性があった。
【００１３】
このように、従来の移動通信システムにおけるスクランブリングコードの割当方法は、スクランブリングコードの同一セル内での競合を必ずしも回避するものではなく、競合回避処理のために負荷が増える可能性があった。
【００１４】
本発明はこのような課題を解決するために為されたものであり、同一セル内での上りスクランブリングコードの競合を回避若しくは低減する移動通信システム及びそのスクランブリングコードの割当方法を提供することを目的とする。
【００１５】
【課題を解決するための手段】
本発明の請求項１に係る上りスクランブリングコード割当方法は、複数の無線制御装置を含む移動通信システムにおいて、各無線制御装置が管理するエリア内の移動局装置に所定のスクランブリングコード群中の一コードを上りスクランブリングコードとして割り当てる方法であって、前記無線制御装置の一は、前記所定のスクランブリングコード群に含まれる第一の部分コード群中から一コードを上りスクランブリングコードとして割り当て、前記一無線制御装置が管理するエリアに隣接するエリアを管轄する無線制御装置の少なくとも一つは、前記所定のスクランブリングコード群中に含まれ且つ前記第一の部分コード群と同一でない第二のコード群中から一コードを上りスクランブリングコードとして割り当てる方法を採る。
【００１６】
この方法において、所定のスクランブリングコード群とは、例えばＷ−ＣＤＭＡ方式の規格で定められた２２４個のコードであり、部分コード群とは上記２２４個のコードをグループ分けしたものである。
【００１７】
この方法によれば、無線制御装置が割り当てることができるスクランブリングコードにつき、位置的な繰り返しを考慮することによって、同一セルに同一の上りスクランブリングコードが割り当てられた移動局が在圏することによって競合回避処理が必要となる場合の発生確率を小さくすることができ、よって無線制御装置の負荷が増加する場合を減らすことができる。
【００１８】
本発明の請求項２に係る移動通信システムは、複数の無線制御装置を含み、各無線制御装置が管理するエリア内の移動局装置に所定のスクランブリングコード群中の一コードを上りスクランブリングコードとして割り当てる移動通信システムであって、前記無線制御装置の一は、前記所定のスクランブリングコード群に含まれる第一の部分コード群中から一コードを上りスクランブリングコードとして割り当て、前記一無線制御装置が管理するエリアに隣接するエリアを管轄する無線制御装置の少なくとも一つは、前記所定のスクランブリングコード群中に含まれ且つ前記第一の部分コード群と同一でない第二のコード群中から一コードを上りスクランブリングコードとして割り当てる構成を採る。
【００１９】
この構成において、所定のスクランブリングコード群とは、例えばＷ−ＣＤＭＡ方式の規格で定められた２２４個のコードであり、部分コード群とは上記２２４個のコードをグループ分けしたものである。
【００２０】
この構成によれば、無線制御装置が割り当てることができるスクランブリングコードにつき、位置的な繰り返しを考慮することによって、同一セルに同一の上りスクランブリングコードが割り当てられた移動局が在圏することによって競合回避処理が必要となる場合の発生確率を小さくすることができ、よって無線制御装置の負荷が増加する場合を減らすことができる。
【００２１】
【発明の実施の形態】
以下、添付図面を参照しながら本発明の一実施の形態について説明する。
【００２２】
まず、図１を用いて、本発明に係る無線制御装置の一構成例について説明する。図１は、本発明の一実施形態に係る無線制御装置の構成を概略的に示す概略構成図である。
【００２３】
図１に示すように、本実施形態に係る無線制御装置１００は、概して個別管理部と共通管理部とに分かれ、個別管理部は、移動局毎に設けられた複数の移動局管理部１０１を有し、共通管理部は、スクランブリングコード（ＳＣ）管理部１０２と、その他のリソースを管理する管理部とを有する。
【００２４】
ＳＣ管理部１０２は、各移動局管理部１０１に該管理部が管轄する移動局に割り当てるスクランブリングコードを与える。
【００２５】
次いで、図２を用いて、本実施形態に係る無線制御装置のＳＣ管理部１０２の動作について説明する。図２は、本実施形態に係る無線制御装置のＳＣ管理部の動作を示すフローチャートである。
【００２６】
図２において、まずＳ２０１において、当該無線制御装置において使用可能なスクランブリングコードが管理者によって設定される。ここで設定されるスクランブリングコードは、規格によって定められている２２４個のスクランブリングコードのうちの一部である。この工程における設定処理については後に詳述する。
【００２７】
移動局管理部からスクランブリングコードの割当要求があると（Ｓ２０２）、ＳＣ管理部１０２は、Ｓ２０３において、空いている（未使用）スクランブリングコードの中から新しいコードをランダムに取得する。
【００２８】
次いで、Ｓ２０４において、取得したスクランブリングコードにつき、同じコードが同一セル内に在圏する移動局に対して割り当てられないように閉鎖処理を行い、Ｓ２０５において、取得したスクランブリングコードを割当を求めた移動局管理部１０１へ通知する。
【００２９】
一方、移動局管理部から移動局解放が伝達されると（Ｓ２０６）、ＳＣ管理部１０２は、Ｓ２０７において、解放される移動局に割り当てられていたスクランブリングコードに対する閉鎖処理を解除し、空き状態と判別されるように設定し、Ｓ２０８において、閉鎖解除及び空き状態設定が完了したことを移動局管理部１０１へ通知する。
【００３０】
以上の手順を繰り返し、ＳＣ管理部１０２はスクランブリングコードを各移動局へ割り当てる。以下、前述のＳ２０１における使用可能スクランブリングコードの設定につき詳述する。
【００３１】
本実施形態においては、規格により使用することが定められている２２４個のスクランブリングコードを任意数のグループ（コード群）に分け、ネットワーク上において隣接する無線制御装置同士は、異なるグループ（コード群）の中からのみスクランブリングコードを割り当てるように設定する。
【００３２】
例えば、２２４個のスクランブリングコード（コード番号：＃０〜＃２２４−１とする）を２つのＳＣグループ；コード＃０〜＃２２３−１から成る第一のグループ及びコード＃２２３〜＃２２４−１から成る第二のグループ、に分ける場合について考える。ここで、ネットワーク構成において互いに隣接するように配置された、即ち管轄するセルが互いに隣接する無線制御装置Ａ及びＢを考え、無線制御装置Ａは上記第一のＳＣグループ（＃０〜＃２２３−１）からのみスクランブリングコードを用いることができ、無線制御装置Ｂは上記第二のＳＣグループ（＃２２３〜＃２２４−１）からのみスクランブリングコードを用いることができるように設定するものとする。
【００３３】
ここで、無線制御装置Ａの管轄下にあるセルに在圏し、無線制御装置Ａから上りスクランブリングコードの割り当てを受けた移動局が、無線制御装置Ｂの管轄下になるセルに移動した場合、無線制御装置Ａが割り当てることができるスクランブリングコード（＃０〜＃２２３−１）と、無線制御装置Ｂが割り当てることができるスクランブリングコード（＃２２３〜＃２２４−１）とが異なるため、同一セル内での上りスクランブリングコードの競合が生じない。
【００３４】
上記の場合、ＳＣグループの繰り返し率は２倍であり、セル構成によっては、同じＳＣグループが設定された無線制御装置が管轄するセル間で移動局の移動もあり得る。その場合、上記のようにグループ分けしても競合は生じ得る。しかしながら、すべての無線制御装置が同じ母集団（２２４個のスクランブリングコード）から上りスクランブリングコードを選び割り当てる場合よりは競合発生の確率を小さくすることができる。
【００３５】
規格によって定められた２２４個のスクランブリングコードを２つのグループに分ける上記例は、本発明の一実施例に過ぎず、競合発生確率を減らすという本発明の目的に鑑みれば、２つ以外、例えば３つ、６つ、若しくは７つのグループに分けてもよいことは明らかである。
【００３６】
いかなる個数のグループに分けられたとしても、隣接する無線制御装置に異なるＳＣグループが設定されることによって、本発明の目的たる競合発生確率の低減は実現できる。
【００３７】
又、同様に、競合発生確率を減らすという本発明の目的に鑑みれば、各ＳＣグループは全く異なる、即ち同一のスクランブリングコードを一切含まないようにグループ分けされる必要はなく、本発明は各グループの中に共通するコードが含まれる場合を排除するものではない。
【００３８】
しかしながら、各グループが同一のスクランブリングコードを一切含まないようにグループ分けする方が競合発生確率が減ることは明らかであり、より好ましいと言い得る。
【００３９】
更に、グループ分けされた各ＳＣグループは同一のコード数を有する必要はなく、又、規格で定められた２２４個のスクランブリングコードがいずれかのグループに必ず分類されなければならない必要もない。しかしながら、上記２２４個のスクランブリングコードすべてが等分に分類され、各無線制御装置に設定されることが好ましいと言える。
【００４０】
このように、本実施形態によれば、無線制御装置が割り当てることができる上りスクランブリングコードにつき、位置的な繰り返しを考慮することによって、同一セルに同一の上りスクランブリングコードが割り当てられた移動局が在圏することによって競合回避処理が必要となる場合の発生確率を小さくすることができ、よって無線制御装置の負荷が増加する場合を減らすことができる。
【００４１】
【発明の効果】
以上、説明したように、本発明の請求項１に係る方法によれば、競合回避処理が必要となる場合の発生確率を小さくすることができ、よって無線制御装置の負荷が増加する場合を減らすことができる。
【００４２】
又、本発明の請求項２に係る方法によれば、競合回避処理が必要となる場合の発生確率を小さくすることができ、よって無線制御装置の負荷が増加する場合を減らすことができる。
【図面の簡単な説明】
【図１】本発明の一実施形態に係る無線制御装置の構成を概略的に示す概略構成図である。
【図２】本実施形態に係る無線制御装置のＳＣ管理部の動作を示すフローチャートである。
【図３】ＣＤＭＡ方式が採用された移動通信システムの典型的な構成を概略的に示す模式図である。
【符号の説明】
１００  無線制御装置
１０１  移動局管理部
１０２  ＳＣ管理部
【図１】
0003808323.tif 000002
【図２】
0003808323.tif 000003
【図３】
0003808323.tif 000004